(57)【要約】【課題】薬剤の飲み忘れや誤飲の抑止等を図れるシート状薬袋を提供する。【解決手段】本発明のシート状薬袋（１）は、第一シート（１１）と第二シート（１２）を対面させて一部で接合した複合シート（１０）からなり、第一シートと第二シートの内側に開口（１１１）を有する袋部（１０１）を備える。さらに本発明のシート状薬袋は、第一シートの一部からなり第二シートから分離し得る分離片（１１２）と、分離片の配設域に対応して第一シートの内面側または第二シートの内面側に形成されて分離片を着脱させ得る粘着層（１３２１）とからなる付録部（１０２）を備える。そして分離片は、単独または袋部の表示と協同して、薬剤の服用状況を示し得る。処方された薬剤を本発明のシート状薬袋に入れて服用することにより、患者は薬剤の飲み忘れや誤飲等を抑止することが可能となる。【選択図】図１Ａ
2017124028.tif 000002
【特許請求の範囲】
【請求項１】
第一シートと第二シートを対面させて一部で接合した複合シートからなり、該第一シートと該第二シートの内側に開口を有する袋部が形成されたシート状薬袋であって、
該第一シートの一部からなり該第二シートから分離し得る分離片と、該分離片の配設域に対応して該第一シートの内面側または該第二シートの内面側に形成されて該分離片を着脱させ得る粘着層とからなる付録部をさらに備え、
該分離片は、単独または前記袋部の表示と協同して、薬剤の服用状況を示し得ることを特徴とするシート状薬袋。
【請求項２】
前記粘着層は、前記分離片の内面側に形成されており、
前記袋部の外面側には、前記分離片の貼着に対応した表示がされ得る請求項１に記載のシート状薬袋。
【請求項３】
前記粘着層は、前記分離片の配設域に対応する前記第二シートの内面側に形成されている請求項１に記載のシート状薬袋。
【請求項４】
前記分離片の内面側に、前記服用状況に関連する情報が表示されている請求項３に記載のシート状薬袋。
【請求項５】
前記分離片の配設域に対応する前記第二シートの内面側に、前記薬剤の服用状況または該分離片の利用方法を示す表示がされている請求項１〜４のいずれかに記載のシート状薬袋。
【請求項６】
前記分離片の配設域にある前記粘着層に対向する前記第一シートまたは前記第二シートの内面側に剥離層を有する請求項１〜５のいずれかに記載のシート状薬袋。
【発明の詳細な説明】
【技術分野】
【０００１】
本発明は、処方された薬剤を入れることができるシート状薬袋に関する。
【背景技術】
【０００２】
医療機関や薬局などで処方された薬剤を収納するために、従来から紙袋が用いられている。従来の薬袋は、既定の情報のみが印刷された上質紙等を所定の形状に裁断したものを、折り重ねて糊付けしたものが多い。
【０００３】
このような紙製の薬袋では、収容物を目視できず、また、患者名や収容物等を手書きしなければならない。そこで、プリンターで印字できる透明な合成樹脂フィルムを片面側に用いた薬袋が、下記の特許文献で提案されている。
【先行技術文献】
【特許文献】
【０００４】
【特許文献１】特開２０００−２１９２４７号公報
【特許文献２】特開２００４−５９１０８号公報
【特許文献３】特開２０１０−６８８９９号公報
【発明の概要】
【発明が解決しようとする課題】
【０００５】
特許文献２の薬袋は、特許文献１の薬袋に対して、その一端側にラベルシートをさらに備え、薬局等のユーザー側で、透明な合成樹脂フィルムとラベルシートに薬剤情報等を印字できるようになっている。薬剤名等が印字されたラベルを、収容する薬剤に貼着することにより、薬剤の薬袋への誤収容や患者の薬剤の誤飲等を抑止できる。
【０００６】
しかし、特許文献２の薬袋は、その図２、図３、図５等から明らかなように、薬袋の片面側を構成する合成樹脂フィルムに加えて、上質紙からなる基材（６、１１等）と、基材に粘着剤（７、１２等）を介して貼着している剥離紙（９、１３等）とを要する。つまり特許文献２の薬袋は、少なくとも３枚のシートを必要としている。または特許文献２の薬袋は、印字面である合成樹脂フィルムと剥離紙の間に段差ができるため、印字性が劣る。
【０００７】
特許文献３の薬袋は、２枚の矩形状の用紙を重ねて接着してなり、薬袋部と薬剤情報表示部とが一体化している。薬剤情報表示部には、裏面に粘着剤が付与されたシール部分が形成されており、その表面には薬剤名等の薬剤情報がプリンターにより印字される。このシール部分は、患者が薬剤情報を確認できるように、患者自身が薬袋部側へ貼着するものである。
【０００８】
しかし、単なる薬剤情報であれば、わざわざシール部分に表記するまでもなく、プリンターで印字する際に、その薬剤情報を薬袋部へ直接印刷すれば足りる。従って、特許文献３の薬袋は、薬剤情報を示すシール部分を剥離および再貼着するという無用な負担を患者に強いる。
【０００９】
本発明はこのような事情に鑑みて為されたものであり、従来の紙袋等とは異なる新たな形態からなるシート状薬袋を提供することを目的とする。
【課題を解決するための手段】
【００１０】
本発明者はこの課題を解決すべく鋭意研究した結果、２枚のシートを重ねてなる１枚の複合シートにより、袋部に加えて、ラベルやマーク等となる分離片を有する付録部を形成することを着想した。そして分離片に、薬剤情報ではなく、患者が薬剤を適切に服用しているか否かを示す服用情報を表示することも着想した。これらの着想を発展させ、具現化することにより、以降に述べる本発明を完成するに至った。
【００１１】
《シート状薬袋》
（１）本発明のシート状薬袋は、第一シートと第二シートを対面させて一部で接合した複合シートからなり、該第一シートと該第二シートの内側に開口を有する袋部が形成されたシート状薬袋であって、該第一シートの一部からなり該第二シートから分離し得る分離片と、該分離片の配設域に対応して該第一シートの内面側または該第二シートの内面側に形成されて該分離片を着脱させ得る粘着層とからなる付録部をさらに備え、該分離片は、単独または前記袋部の表示と協同して、薬剤の服用状況を示し得ることを特徴とする。
【００１２】
（２）本発明のシート状薬袋は、先ず、２枚のシートを重ねた１枚の複合シートからなるため、必要な構成部材数（シート枚数等）が少なくて、比較的簡素な構造とできる。このため、製造コスト等の低減を図ることが容易となり、さらには、通常の上質紙（コピー紙）等と同レベルな取扱性や印字性等も確保し易い。
【００１３】
さらに本発明のシート状薬袋は、全体が２枚のシートを重ねた１枚の複合シートからなるが、単なる袋体ではなく、ラベルやマーキング等となる分離片を備えた付録部も備えている。この分離片は、その裏面側（第一シートの内面側）またはその対向する第二シートの内面側に設けられた粘着層により、着脱自在となっている。
【００１４】
そして分離片には、単独または袋部の表示と協同（協働）して、患者が薬剤を適切に服用しているか否かを示す服用状況が示され得る。このため、患者が薬剤を服用する毎に、分離片を脱着して再貼着すれば、患者は薬剤を所定通りに服用しているかがわかり、薬剤の服用漏れや誤飲等が抑止され得る。
【００１５】
分離片は、上述したように、薬剤の服用状況を示すために用いられるが、必ずしもその表面に印字等がされている必要はない。分離片の脱着や再貼着により生じる色彩、表記、形態の変化等でも、薬剤の服用状況を十分に認識できる場合もある。また、分離片が袋部側にある情報と協同（協働）することにより、薬剤の服用状況を認識することもできる。例えば、袋部の外面側に薬剤の服用時期（「〇×日目」、「朝、昼、夜」等）が順次示されており、それを分離片で覆い隠すようにしても、薬剤の服用状況を認識できる。
【００１６】
勿論、本発明のシート状薬袋を最終ユーザーが使用するときに、分離片に薬剤の服用状況を分かり易く示す文字、模様、色彩等が表示されていると、より好ましい。このような情報は、分離片に予め印刷等されていても良いし、最終ユーザーの使用前に事後的に印刷等されたものでもよい。
【００１７】
《その他》
本明細書では、分離片を構成するシートを第一シートといい、それに対面するシートを第二シートというが、これらは本発明を説明するための便宜的な呼称に過ぎず、本発明の内容を限定するものではない。例えば、第一シート側と第二シート側のどちらが表側でも裏側でもよい。
【００１８】
また、第一シートと第二シートは、元々分離されているものでもよいし、連なっているものでもよい。要するに、複合シートとなった際に、その一面側が第一シートにより構成され、その他面側が第二シートにより構成されれば足る。
【００１９】
さらに、普及しているプリンターを用いてシート状薬袋へ事後的に印刷する場合、第一シートと第二シートのいずれか一方のみに印刷してもよいし、それらの両方に印刷してもよい。
【図面の簡単な説明】
【００２０】
【図１Ａ】第一実施例であるシート状薬袋を示す平面図である。
【図１Ｂ】その断面図である。
【図１Ｃ】その背面図である。
【図２Ａ】第二実施例であるシート状薬袋を示す平面図である。
【図２Ｂ】その断面図である。
【発明を実施するための形態】
【００２１】
上述した本発明の構成要素に、本明細書中から任意に選択した一以上の構成要素を付加し得る。この際、製造方法に関する構成要素は、一定の場合（構造または特性により「物」を直接特定することが不可能であるかまたは非実際的である事情（不可能・非実際的事情）等がある場合）、プロダクトバイプロセスとして「物」に関する構成要素ともなり得る。いずれの実施形態が最良であるか否かは、対象、要求性能等によって異なる。
【００２２】
《シート》  
（１）本発明に係る第一シートと第二シート（両者を併せて単に「シート」ともいう。）は、材質や形態（形状、色彩等）を問わない。両シートの材質または形態は、同じでも異なっていてもよい。シートの材質としては、例えば、紙、合成樹脂がある。
【００２３】
両シートは、材質および形態が同じであると、複合シートひいてはシート状薬袋の製造が容易となり、その低コスト化も図れて好ましい。逆に、一方のシートを上質紙等の紙製とし、他方のシートを透明フィルム等の合成樹脂製として、外側から収容物の確認をできる機能等を付加してもよい。
【００２４】
シートの外面側の少なくとも一部は、プリンターによる印字が可能な印字部であると好適である。これによりユーザーは、自らプリンターで印刷することにより、シート状薬袋へ所望情報を手軽に付加することができる。このような印字部は、少なくとも袋部を構成するシートの外面側に設けられていると好適である。なお、シートの材質やプリンターの種類（例えば、インクジェットプリンターまたはレーザープリンター等）に応じて、印字部には印字特性を向上させる処理が施されていると好ましい。
【００２５】
（２）本発明に係る複合シートは、少なくとも開口を有する袋部が形成されるように、対面させた各シートの内面側同士を部分的に接合してなる。接合方法は、シートの材質や表面性状、シート状薬袋の使用形態や廃棄方法等に応じて適宜選択される。例えば、接着剤（糊を含む）を用いた接着の他、溶着、圧着等により接合されてもよい。
【００２６】
複合シートは、一般的に普及しているプリンターによる印刷性やシート状薬袋の取扱性等を考慮して、各国の工業規格（ＪＩＳ等）または国際規格（ＩＳＯ等）等により規格化された用紙サイズであると好適である。例えば、いわゆるＡ４サイズまたはＢ５サイズ等であると好ましい。
【００２７】
《袋部》
袋部は、開口を囲う周縁が封口（閉口）されることにより形成される。第一シートと第二シートが分離（独立）しているときは、所望形状に応じた周縁を接合することにより袋部が形成される。第一シートと第二シートが元々連なっているときは、その連続部分をその周縁の一部として利用してもよい。なお、袋部は、必ずしも複合シートの形状に沿う必要は無い。例えば、複合シートが方形状でも、その内側に形成される袋部は略半円状等でもよい。
【００２８】
《付録部》
（１）複合シートの一部に形成された付録部は、一方のシート（第一シート）からなる分離片と、その分離片を他方のシート（第二シート）に貼着している粘着層とからなる。
【００２９】
分離片の形状や配設数は、その利用形態や袋体の用途等に応じて適宜選択される。分離片は、第一シートへ導入したスリット（切込み、型抜き）等により形成され得る。この点は、袋部の開口についても同様である。従って、袋部の開口と分離片が同じ第一シート側にあると、シート状薬袋をより効率的に製造できる。
【００３０】
粘着層は、分離片の内面側（第一シートの内面側）に形成されていても良いし、分離片と対向している第二シートの内面側に形成されていても良い。また、分離片の着脱を容易にするために、分離片の配設域にある粘着層に対向する第一シートまたは第二シートの内面側に剥離層を設けると好ましい。つまり、一方のシートの内面側に粘着層を設け、他方のシートの内面側に剥離層を設けると良い。なお、粘着層と剥離層は、少なくとも分離片の配設域に対応して設けられれば足るが、付録部の内面側全体に形成されていてもよい。
【００３１】
（２）粘着層は、どちらのシートの内面側に形成しても良いが、分離片の使用形態または分離片の表示内容または指標内容等に応じて、選択されると好ましい。例えば、付録部から脱着した分離片を他所に再貼着するような場合なら、粘着層は分離片の内面側（その配設域に対応する第一シートの内面側）に形成されている必要がある。この場合、袋部の外面側には、その分離片の再貼着に対応した表示がされ得ると好ましい。例えば、当初からの印刷や事後的な印刷により、分離片の貼着位置が表示されたり、その分離片の貼着により所望情報が表出されて、薬剤の服用状況が直接または間接に示されるようにするとよい。
【００３２】
また、分離片の内面側に所望情報が表示されるような場合なら、粘着層は、分離片の配設域に対応する第二シートの内面側に形成されているとよい。この場合、脱着した分離片を反転させて（裏返して）、元の配設域に再貼着すると、分離片の内面側に表示されていた情報が指標される。
【００３３】
なお、いずれのシートの内面側に粘着層を設ける場合でも、分離片の配設域に対応する第二シートの内面側に所望情報が表示されていると好ましい。この場合、分離片を脱着する毎に、所望情報（例えば、脱着した分離片の再貼着方法やその再貼着位置等）がユーザーに伝達される。
【００３４】
《その他》
袋部と付録部は、ミシン目等による分離線により、分離し易いと好ましい。袋部と付録部は、必ずしも一体化して使用される必要はなく、両者を分離した方が使い易いことも多い。また、両者を切り離すことにより、不要となった付録部だけを廃棄等することもできる。
【実施例】
【００３５】
《第一実施例》
本発明のシート状薬袋に係る第一実施例である薬袋１を図１Ａ〜図１Ｃに示した。図１Ａは薬袋１の平面図であり、図１Ｂは図１ＡにおけるＡ−Ａ断面図であり、図１Ｃは薬袋１の背面図である。本実施例では、便宜上、図１Ａに示す側を表側、図１Ｃに示す側を裏側という。
【００３６】
薬袋１は、Ａ４サイズの上質紙からなる表紙１１（第一シート）と裏紙１２（第二シート）を部分的に接合した複合シート１０からなる。複合シート１０の長手方向の一端側は薬剤を収容する袋部１０１となっており、その他端側は薬剤の服用情報を示す付録部１０２となっている。袋部１０１と付録部１０２の間には、両者の境界線となるミシン目１０３（分離線）が形成されている。ミシン目１０３により、付録部１０２は袋部１０１側へ折り曲げ易くなっており、さらには両者を切り離すことも容易になっている。
【００３７】
方形状をした袋部１０１の４辺の各周縁は、糊により完全接着された接着層１３１１〜１３１４（これらを併せて適宜、「接着層１３１」という。）となっている。この接着層１３１により、表紙１１と裏紙１２は接合された状態（複合シート１０）となっている。袋部１０１の一辺の周縁近傍（接着層１３１４の内側近傍）には、スリット加工により表紙１１のみに導入された切り込みからなる開口１１１が形成されている。なお、開口１１１は、中央部分が舌状に突出した形状となっている。これにより袋部１０１の開封が容易になると共に、薬袋１がプリンターのローラ等を通過する際に袋部１０１内の空気が抜け易くなっている。
【００３８】
付録部１０２は、その全面に対応して、表紙１１の内面側に形成された粘着層１３２１と、粘着層１３２１に対向して裏紙１２の内面側に形成された剥離層１３２２とを有する。これにより表紙１１と裏紙１２は、付録部１０２の領域内で、分離可能に接合された状態となっている。
【００３９】
付録部１０２の表紙１１には、多数の小円状の切り込みがスリット加工により導入されている。これにより付録部１０２の表側には、多数（図１Ａでは７列３行の合計２１個）の小円状のマーク１１２（分離片）が形成されている。マーク１１２は、裏面１１２ｂに粘着層１３２１を有し、シール状となっている。そしてマーク１１２は、裏紙１２の内面側に形成された剥離層１３２２に対して着脱自在となっている。
【００４０】
マーク１１２の表面１１２ａには、袋部１０１に収容している薬剤を服用したことを確認できる服用情報（例えば「のんだよ」）が予め印刷されている。袋部１０１の表面１０１ａには、裏面１１２ｂに粘着層を有するマーク１１２を貼着する位置を示す模様（例えば「すごろく風」の模様）が描かれている。さらにマーク１１２を脱着した後に見える裏紙１２の内面１２２ｂには、マーク１１２の脱着または服用の有無を示す情報（例えば「おくすりのんだよ」）が記載されている。
【００４１】
病院や薬局で処方された薬剤を薬袋１に収容している患者は、例えば、薬剤を服用する毎にマーク１１２を付録部１０２から剥がして、袋部１０１の表面１０１ａに順次貼着していく。これにより薬剤の服用日（一日目、二日目等）、服用時期（朝、昼、夜等）、服用回数等が視覚的に明らかとなる。このため薬剤の飲み忘れ等も一目瞭然となり、結果的に患者は薬剤を適切に服用し易くなる。特に、子供の患者は、薬剤を服用する毎に、袋部１０１の表面１０１ａへマーク１１２をシールのように貼って楽しむことができ、薬剤を適切に服用し易くなる。
【００４２】
薬袋１は、全体がＪＩＳ規格に準拠したＡ４サイズからなる１枚のシート状である。このため、図１Ｃに示すように、袋部１０１の裏面１０１ｂには、普及している一般的なインクジェットプリンターまたはレーザープリンター等を用いて、患者名、薬剤名や服用方法等の薬剤情報などを簡単に印刷できる。勿論、袋部１０１の裏面１０１ｂに限らず、その表面１０１ａ、さらには付録部１０２（特にマーク１１２）にも、プリンターで印刷してもよい。なお、プリンターによる薬袋１への印刷は、薬剤を配布する医療機関（薬局を含む。）に限らず、患者が図柄等を選択して行えるようにしてもよい。
【００４３】
《第二実施例》
本発明のシート状薬袋に係る第二実施例である薬袋２を図２Ａおよび図２Ｂに示した。図２Ａは薬袋２の平面図であり、図２Ｂは図２ＡにおけるＢ−Ｂ断面図である。本実施例でも、便宜上、図２Ａに示す側を表側、その反対側を裏側という。薬袋１と共通する部分には、図１Ａ〜図１Ｃに示した同符号と同じ符号を図２Ａおよび図２Ｂにも付した。そして、薬袋１と薬袋２で共通する部分については、適宜、詳細な説明を省略した。
【００４４】
薬袋２も、Ａ４サイズの上質紙からなる表紙２１（第一シート）と裏紙２２（第二シート）を部分的に接合した複合シート２０からなり、一端側にある袋部２０１と他端側にある付録部２０２がミシン目１０３（分離線）により区画されている。袋部２０１も、４辺の周縁が接着層１３１１〜１３１４（接着層１３１）により完全に接着されており、接着層１３１４の内側近傍に開口１１１を有する。付録部２０２の表紙１１側にも、多数（図２Ａでは７列３行の合計２１個）の小円状のマーク２１２（分離片）が、表紙２１のみに導入されたスリットにより形成されている。
【００４５】
ところで、薬袋１と異なり、薬袋２の付録部２０２には、表紙２１の内面側に剥離層２３２１が形成されており、裏紙２２の内面側に粘着層２３２２が形成されている。このため、マーク２１２の裏面２１２ｂには粘着層がなく、マーク２１２は、裏面２１２ｂの剥離層２３２２を介して、裏紙１２の内面側に形成された粘着層２３２１（裏紙２２の内面２２２ｂ）に対して着脱自在となっている。
【００４６】
マーク２１２の表面２１２ａには、袋部２０１に収容された薬剤を服用する時期（例えば「１日目  朝」等）が予め印刷されている。マーク２１２の裏面２１２ｂには、袋部２０１に収容している薬剤を服用したことを確認できる服用情報（例えば「ＯＫ［朝］飲みました」等）が予め印刷されている。さらにマーク２１２を脱着した際に見える裏紙２２の内面２２２ｂ（配設域）には、マーク２１２の利用方法（マーク２１２の脱着と再貼着）を説明する情報（例えば「裏返して貼りましょう」）が記載されている。袋部２０１の表面２０１ａには、薬袋２の付録部１０２（特にマーク２１２）の利用方法が詳細に説明されている。
【００４７】
病院や薬局で処方された薬剤を薬袋２に収容している患者は、例えば、薬剤を服用する毎に、マーク２１２を付録部２０２から剥がし、裏返した状態で、そのマーク２１２があった裏紙２２の内面２２２ｂへ再貼着する。これを繰り返すことにより、薬剤の服用日（一日目、二日目等）、服用時期（朝、昼、夜等）、服用回数等が明らかにある。こうして患者は、処方された薬剤の飲み忘れや誤飲等を抑止できる。
【００４８】
なお、剥がしたマーク２１２は、その場で直ぐに裏返して再貼着するため、マーク２１２を廃棄する必要がなく、薬剤を服用する度にマーク２１２がゴミとなることもない。また、袋部２０１や付録部２０２に、種々の情報、模様、図柄等をプリンターで簡単に印刷できる点は、薬袋１の場合と同様である。
【符号の説明】
【００４９】
１        薬袋（シート状薬袋）
１１      表紙（第一シート）
１２      裏紙（第二シート）
１０      複合シート
１０１    袋部
１０２    付録部
１１１    開口
１１２    マーク（分離片）
１３１    接着層
１３２１  粘着層
１３２２  剥離層
【図１Ａ】
2017124028.tif 000003
【図１Ｂ】
2017124028.tif 000004
【図１Ｃ】
2017124028.tif 000005
【図２Ａ】
2017124028.tif 000006
【図２Ｂ】
2017124028.tif 000007